(57)【特許請求の範囲】
【請求項１】
ピックアップから投射された光ビームを光ディスク上に照射し、その反射光から光ディスクに記録されている情報を読み取る光ディスクドライブにおいて、
ユーザにより光ディスクドライブにセットされ、調整用ディスクであることを示す識別情報がＢＣＡ規格に従ってバーコードで記録されているとともに、前記光ディスクドライブにより前記識別情報が読み取られて調整用ディスクであることが判別されたことに応答して立ち上がり、ドライブ各部の調整を自動的に実行するための自動調整用のプログラムと、当該自動調整時に読み取られるテスト用データとが記録されている調整用ディスクと、
前記調整用ディスクがドライブにセットされたときに、前記識別情報を読み取って、セットされた光ディスクが調整用ディスクであることを判別する判別手段と、
前記判別手段が調整用ディスクであることを判別したことに応答して立ち上がる前記自動調整用のプログラムに従って、前記調整用ディスクに記録されたテスト用データを前記ピックアップで読み取りつつ、所定の調整項目ごとにドライブ各部の調整を自動的に実行して、工場出荷時の調整値を更新する調整手段と、
を備えたことを特徴とする光ディスクドライブ。
【請求項２】
ピックアップから投射された光ビームを光ディスク上に照射し、その反射光から光ディスクに記録されている情報を読み取る光ディスクドライブにおいて、
調整用ディスクであることを示す識別情報と、光ディスクドライブにより前記識別情報が読み取られて調整用ディスクであることが判別されたことに応答して立ち上がり、ドライブ各部の調整を自動的に実行するための自動調整用のプログラムと、当該自動調整時に読み取られるテスト用データとが記録されている調整用ディスクがドライブにセットされたときに、前記識別情報を読み取ってセットされた光ディスクが調整用ディスクであることを判別したことに応答して立ち上がる前記自動調整用のプログラムに従って、前記テスト用データを前記ピックアップで読み取りつつ、ドライブ各部の調整を自動的に実行して工場出荷時の調整値を更新することを特徴とする光ディスクドライブ。
【請求項３】
請求項１または請求項２に記載の光ディスクドライブが搭載された通信機能を有する端末装置と、この端末装置とネットワークを介して接続されたサーバとからなる光ディスクドライブの診断システムであって、
前記端末装置は、これに搭載された光ディスクドライブでの前記調整用ディスクによる調整結果を前記ネットワークを介してサーバへ送信するとともに、前記調整結果に基づいてサーバが光ディスクドライブの状態を診断した結果を受信し、当該診断結果を表示することを特徴とする光ディスクドライブの診断システム。
【請求項４】
請求項１または請求項２に記載の光ディスクドライブにおいて、
出荷後一定時間が経過した時点で、前記調整用ディスクによる自動調整の実行を促す報知を行うことを特徴とする光ディスクドライブ。
【発明の詳細な説明】
【０００１】
【発明の属する技術分野】
本発明は、ＣＤ、ＣＤ−ＲＯＭ、ＤＶＤなどを取り扱う光ディスクドライブに関し、特にドライブの経時変化に合わせて自動調整を行えるようにした光ディスクドライブに関するものである。
【０００２】
【従来の技術】
光ディスクドライブは、ピックアップから投射された光ビームを光ディスク上に照射し、その反射光から光ディスクに記録されている情報を読み取って再生する装置であり、ＣＤプレーヤやＤＶＤプレーヤのようなＡＶ機器のほか、ＰＣ（パーソナルコンピュータ）等に広く利用されている。このような光ディスクドライブにおいては、ディスク上に光ビームスポットが合焦点状態で形成されるように、ピックアップのディスク面に対する垂直方向の動きを制御するフォーカス制御や、ディスク上のトラックに光ビームが正確に照射されるように、ピックアップのディスク面に対する水平方向の動きを制御するトラッキング制御等の機能が備わっており、工場出荷時には、これらのフォーカス制御およびトラッキング制御におけるゲインやその他のパラメータが最適値に調整されている。
【０００３】
【発明が解決しようとする課題】
しかしながら、経時変化によって部品の消耗や劣化等が進行すると、出荷時の調整値は最適値ではなくなるために、光ディスクドライブの性能が低下してくる。そこで、特開２００２−８３２３号公報のように、検査用のディスクを用いてドライブの性能を検査することが考えられるが、検査の結果、不良と判定された場合は、メーカへ修理を依頼してメーカで再調整を行ってもらう必要があり、ユーザ自身で対応することは困難である。また、特開平１０−１８８４５０号公報には、調整用のディスクを用いてゲイン等の自動調整を行うことが記載されているが、この自動調整は工場出荷時において実施される調整であり、出荷後に異常が検出された場合は、本公報にも記載されているように、ユーザは製品をサービスセンタに送り、サービスセンタが調整用のディスクを用いて自動調整を行うことになる。
【０００４】
このように、従来は経時変化によりドライブの再調整の必要性が生じた場合でも、ユーザ側において対応することが困難であり、再調整をメーカへ依頼してメーカ側で対応せざるを得なかった。このため、ユーザにとっては製品をサービスセンタ等へ送ったり持参したりしなければならず、またメーカにおいても調整作業が必要であることから、双方の手を煩わす結果となっていた。
【０００５】
本発明は、上記問題点を解決するものであって、その課題とするところは、経時変化によりドライブの再調整が必要となった場合に、ユーザにおいて簡単に対応することができる光ディスクドライブを提供することにある。また、本発明の他の課題は、調整結果に基づいてドライブの状態を診断した結果をユーザに知らせることができる診断システムを提供することにある。
【０００６】
【課題を解決するための手段】
本発明では、調整用ディスクであることを示す識別情報と自動調整用のプログラムとテスト用データとを記録した調整用ディスクを、光ディスクドライブと同梱するなどしてドライブに付属させる。そして、この調整用ディスクをドライブにセットしたときに、識別情報から調整用ディスクであることが判別されると、自動調整用のプログラムに従って、テスト用データを読み取りつつ、ドライブ各部の調整を自動的に実行して工場出荷時の調整値を更新するようにしている。
【０００７】
このようにすることで、ユーザが調整用ディスクをドライブにセットすると、自動的にテスト用データを用いてドライブ各部の調整が行われるため、経時変化によりドライブの再調整が必要となった場合に、ドライブをサービスセンタ等へ送らなくても、ユーザにおいて簡単に対応することができる。また、メーカ側もユーザ側で対応できるような調整にまで余分な手間をかける必要がなくなり、作業負担が軽減される。なお、出荷後一定時間が経過した時点で、調整用ディスクによる自動調整の実行を促す報知を行うようにしてもよい。
【０００８】
また、本発明では、光ディスクドライブが搭載された通信機能を有する端末装置と、この端末装置とネットワークを介して接続されたサーバとから診断システムを構成する。端末装置は、これに搭載された光ディスクドライブでの調整用ディスクによる調整結果をネットワークを介してサーバへ送信するとともに、この調整結果に基づいてサーバが光ディスクドライブの状態を診断した結果を受信し、当該診断結果を表示する。
【０００９】
このようにすることで、たとえばインターネットを利用して、ユーザ側で行った自動調整の結果をメーカ側のサーバへ送ってドライブの状態を診断してもらい、その診断結果をサーバから受け取って表示することができるため、ユーザはドライブのメンテナンスの必要性や寿命、買い換え時期等を容易に判断することができる。また、メーカ側ではユーザの自動調整データを収集することができるので、これを解析して製品の性能改善に反映させることが可能となる。
【００１０】
本発明では、ドライブ各部の調整を自動的に実行するためのプログラムを調整用ディスクへ記録しておくことで、ドライブあるいはドライブが搭載される機器に予め調整プログラムをインストールしておく必要がないので、メモリの容量を節約することができる。
【００１１】
【発明の実施の形態】
図１は、本発明に係る光ディスクドライブ１００の電気的構成を示したブロック図である。１はたとえばＤＶＤ−ＲＯＭからなる光ディスク、２は光ディスク１へ光ビームを照射するとともにその反射光を受光するピックアップ、３はピックアップ２に備わる光ビーム照射用のレーザダイオードを駆動するためのレーザダイオード駆動回路である。４は光ディスク１を回転させるディスクモータ、５はディスクモータ４を駆動するモータ駆動回路である。６はピックアップ２が受光した信号に基づいて再生信号を生成したり、外部から入力される記録信号を光ディスク１に書き込む信号に変換したりする信号処理部、７はピックアップ２のフォーカス制御やトラッキング制御を行うサーボ回路である。８は各部の制御を行うマイクロプロセッサからなるコントローラで、本発明における判別手段および調整手段を構成する。９はＲＯＭおよびＲＡＭから構成されるメモリ、１０は光ディスクドライブ１００が搭載される機器（後述するパーソナルコンピュータやハードディスクレコーダ等）に接続するためのインターフェイス、１１はフロントパネルに設けられた操作部、１２は同じくフロントパネルに設けられた表示部である。
【００１２】
図２は、本発明に係る調整用ディスク２０の例を示した平面図である。調整用ディスク２０は、通常の光ディスク１と同じ寸法および形状をした光ディスクであるが、ディスクの内周部分に調整用ディスクであることを示す識別情報２１が記録されている。この識別情報２１は、ＤＶＤ−ＲＯＭのＢＣＡ（Ｂｕｒｓｔ  Ｃｕｔｔｉｎｇ  Ａｒｅａ）規格に従って、バーコードで記録されている。ＢＣＡ規格によるバーコードは、用途が定められておらずユーザが自由に決定できるが、データ容量が少ないこともあって現実にはあまり利用されていない。しかし、ディスクの種類を判別する情報として用いる場合は、データ容量が少なくても問題ないので、本発明ではこのバーコードを調整用ディスクであることを示す識別情報として利用している。なお、調整用ディスク２０には、通常の光ディスクと同様にデータ記録領域２２が設けられており、この領域にはテスト用データが記録されている。
【００１３】
図３は、調整用ディスク２０の記録フォーマットの一部を示した図である。調整用ディスク２０は、ＢＣＡエリアと、自動調整用のプログラムＰと、データ記録領域２２を構成するトラック１，２，…ｎを有しており、ＢＣＡエリアには上述したＢＣＡ規格によるバーコード２１が記録され、トラック１，２，…ｎにはそれぞれテスト用データが記録されている。
【００１４】
図４は、光ディスクドライブ１００において自動調整を行う場合の手順を示したフローチャートである。最初に、通常の光ディスク１と同じ要領で、調整用ディスク２０を光ディスクドライブ１００にセットする（ステップＳ１）。次に、セットされたディスクが調整用ディスク２０であるか否かを判別する（ステップＳ２）。ピックアップ２によってバーコード２１が読み取られ、調整用ディスク２０であることが判別された場合は（ステップＳ２：ＹＥＳ）、ステップＳ３以降の調整処理へ移る。一方、バーコード２１が読み取れず、通常の光ディスク１と判別された場合は（ステップＳ２：ＮＯ）、調整処理は行わず通常の処理へ移る。
【００１５】
セットされたディスクが調整用ディスク２０の場合は、光ディスクドライブ１００が調整モードに設定され（ステップＳ３）、自動調整用のプログラムが立ち上がる。この自動調整用プログラムは、図３で示したように、調整用ディスク２０に記録されている。したがって、記憶部９（あるいは光ディスクドライブ１００が搭載される機器のメモリ）に予め調整プログラムをインストールしておく必要がないので、メモリの容量を節約することができる。自動調整用のプログラムが立ち上がると、コントローラ８は当該プログラムに従って、光ディスクドライブ１００の各部の自動調整を実行する（ステップＳ４）。この自動調整においては、調整用ディスク２０に記録されているテスト用データをピックアップ２で読み取りつつ、所定の調整項目ごとに調整が行われる。
【００１６】
たとえば、トラック１に記録されているテスト用データの読み取り結果に基づいて、フォーカスサーボ系のゲインを最適値に調整し、出荷時のゲインを自動調整によって得られたゲインに更新する。また、トラック２に記録されているテスト用データの読み取り結果に基づいて、トラッキングサーボ系のゲインを最適値に調整し、出荷時のゲインを自動調整によって得られたゲインに更新する。以下同様にして、各トラックに記録されているテスト用データを用いて、ディスクモータ系のゲインの調整、フォーカスエラーやトラッキングエラー等のオフセット補正、レーザパワーの調整等を行う。なお、ここでは１つのトラックのテスト用データに対応させて１つの調整項目の調整を行っているが、これは本発明にとって必須の事項ではなく、１つのテスト用データで複数の調整項目の調整を行うようにしてもよい。
【００１７】
以上のようにして、所定の調整項目ごとに調整を行い、全項目の調整が終了したか否かを判定する（ステップＳ５）。全項目の調整が終了してなければ（ステップＳ５：ＮＯ）、ステップＳ４に戻り、上記と同様にして自動調整を実行する。そして、全項目の調整が終了すれば（ステップＳ５：ＹＥＳ）、一連の調整処理を終了する。こうして、調整用ディスク２０を用いた自動調整によって、光ディスクドライブ１００の出荷時の調整値は新たな調整値に更新される。この結果、光ディスクドライブ１００は最適な状態に再調整されたことになり、これによってドライブの長寿命化をはかることができる。また、自動調整は調整用ディスク２０を光ディスクドライブ１００にセットするだけで自動的に実行されるから、調整用ディスク２０を光ディスクドライブ１００と同梱しておけば、ユーザにおいて簡単に調整を行うことができる。また、メーカ側もユーザ側で対応できるような調整にまで余分な手間をかける必要がなくなり、作業負担が軽減される。
【００１８】
なお、調整用ディスク２０を用いた自動調整は、ユーザが希望する任意の時点で行えばよいが、ユーザが自動調整の必要なことを忘れている場合もあるので、この対策として、出荷後一定時間が経過した時点で、光ディスクドライブ１００の表示部１２、あるいはドライブが搭載される機器の表示部において、ランプの点灯やメッセージ表示等により、調整用ディスク２０による自動調整の実行を促す報知を行うようにしてもよい。
【００１９】
図５は、本発明に係る光ディスクドライブの診断システム３０を示した全体図である。上述した光ディスクドライブ１００は、パーソナルコンピュータ（以下、ＰＣと記す）やハードディスクレコーダ（以下、ＨＤＤレコーダと記す）のような通信機能を有する端末装置に搭載することができ、この場合には図５のような診断システム３０を構築することができる。
【００２０】
図５において、３１は光ディスクドライブ１００を搭載したＰＣ、３２は光ディスクドライブ１００を搭載したＨＤＤレコーダである。これらはユーザが保有する端末装置であって通信機能を備えており、ネットワークを構成するインターネット３３に接続されている。３４はインターネット３３に接続されたサーバであって、光ディスクドライブ１００のメーカが保有している。ＰＣ３１とＨＤＤレコーダ３２とは、インターネット３３を介してサーバ３４に接続される。なお、ここではネットワークとしてインターネット３３を利用しているが、これに代えて専用回線を用いてもよい。
【００２１】
図６は、上述した診断システム３０における処理の手順を示したフローチャートである。図６において、ステップＳ１１〜Ｓ１４の内容は、図４におけるステップＳ１〜Ｓ４と同じである。ディスクを光ディスクドライブ１００にセットすると（ステップＳ１１）、セットされたディスクが調整用ディスク２０であるか否かが判別され（ステップＳ１２）、調整用ディスク２０と判別された場合は（ステップＳ１２：ＹＥＳ）、光ディスクドライブ１００が調整モードに設定され（ステップＳ１３）、自動調整用のプログラムに従って、テスト用データを用いて各部の自動調整が実行される（ステップＳ１４）。そして、調整結果のデータを記憶部９のメモリ（ＲＡＭ）に記録した後（ステップＳ１５）、全項目の調整が終了したか否かを判定する（ステップＳ１６）。全項目の調整が終了してなければ（ステップＳ１６：ＮＯ）、ステップＳ１４、Ｓ１５の処理を反覆する。
【００２２】
全項目の調整が終了すると（ステップＳ１６：ＹＥＳ）、次に、ＰＣ３１やＨＤＤレコーダ３２がインターネット３３に接続され（ステップＳ１７）、サーバ３４へのアクセスが行われる。この場合、ユーザの操作によって接続が行われるようにしてもよいし、ドライブの調整が終了した時点で自動的に接続が行われるようにしてもよい。インターネット３３によりサーバ３４への接続が行われると、続いて記憶部９に記録された調整結果のデータが読み出され、これがインターネット３３を介してサーバ３４へ送信される（ステップＳ１８）。サーバ３４には、調整結果のデータに基づいて光ディスクドライブ１００の状態を診断するプログラムが備わっており、サーバ３４はこのプログラムに従って光ディスクドライブ１００の診断を行う。この診断結果は、インターネット３３を介してＰＣ３１やＨＤＤレコーダ３２へ送信される。ＰＣ３１やＨＤＤレコーダ３２では、サーバ３４から送られてきた診断結果を受信し（ステップＳ１９）、この診断結果を表示部に表示する（ステップＳ２０）。
【００２３】
このようにして、上記診断システム３０によれば、調整用ディスク２０を用いた自動調整によって、光ディスクドライブ１００の出荷時の調整値が新たな調整値に更新されてドライブが最適状態に再調整されるとともに、ドライブの調整結果に基づいてサーバ３４による診断結果を知ることができるため、ユーザは光ディスクドライブ１００のメンテナンスの必要性や寿命、買い換え時期等を容易に判断することができる。また、メーカ側ではサーバ３４を利用してユーザから自動調整のデータを収集することができるので、これを解析することにより、製品の性能改善に反映させることが可能となる。
【００２４】
以上述べた実施形態においては、調整用ディスク２０であることを示す識別情報がＢＣＡ規格に従ってバーコードで記録されている例を示したが、本発明はこれに限定されるものではなく、上記識別情報を調整用ディスク２０におけるＴＯＣ（Ｔａｂｌｅ  ｏｆ  Ｃｏｎｔｅｎｔｓ）の情報の１つとして記録してもよい。
【００２５】
また、図６の実施形態では、調整結果のデータをメモリから読み出して自動的にサーバ３４へ送る例を示したが、これに代えて、インターネット３３を介してまずサーバ３４が開設するホームページへアクセスを行い、当該ホームページ上に調整結果のデータ（たとえばテキストデータ）を貼り付け、送信ボタンをクリックすることにより、調整結果のデータがサーバ３４へ送信されるようにしてもよい。
【００２６】
また、上記実施形態においては、サーバ３４が診断プログラムに従って自動的に診断を行う例を示したが、メーカの担当者が調整結果のデータに基づいて診断を行い、その結果を電子メールによりユーザに通知するようなシステムとしてもよい。
【００２７】
さらに、上記実施形態では、インターネット３３を利用した診断システムを示したが、サーバ３４に備わる診断プログラムをＰＣ３１やＨＤＤレコーダ３２に持たせることにより、ネットワークを介さずに端末装置自身でドライブの診断を行うことも可能である。
【００２８】
【発明の効果】
本発明によれば、調整用ディスクをドライブにセットするだけで、自動的にドライブ各部の調整が行われるため、ユーザにおいて簡単に対応することができるとともに、メーカ側の調整作業の負担も軽減することができる。
【００２９】
また、自動調整に基づいてドライブの診断結果を得ることができるため、ユーザはドライブのメンテナンスの必要性や寿命、買い換え時期等を容易に判断することができるとともに、メーカ側ではユーザからの調整データを収集して製品の性能改善に反映させることが可能となる。
【図面の簡単な説明】
【図１】本発明に係る光ディスクドライブの電気的構成を示したブロック図である。
【図２】本発明に係る調整用ディスクの例を示した平面図である。
【図３】調整用ディスクの記録フォーマットの一部を示した図である。
【図４】自動調整の手順を示したフローチャートである。
【図５】本発明に係る診断システムを示した全体図である。
【図６】診断システムにおける処理の手順を示したフローチャートである。
【符号の説明】
１    光ディスク
２    光ピックアップ
８    コントローラ
２０  調整用ディスク
２１  バーコード
３０  診断システム
３１  パーソナルコンピュータ
３２  ハードディスクレコーダ
３３  インターネット
３４  サーバ
Ｐ    自動調整用プログラム
【図１】
0003671941.tif 000002
【図２】
0003671941.tif 000003
【図３】
0003671941.tif 000004
【図４】
0003671941.tif 000005
【図５】
0003671941.tif 000006
【図６】
0003671941.tif 000007